(57)【要約】【課題】  スペースをとらず、内部に侵入した侵入者から居住者の身を守ることができる住宅を提供する。【解決手段】  住宅１は、二階建ての戸建住宅である。居室３として、一階に食堂兼台所３Ａ、洋室３Ｂおよび居間３Ｃが、二階に子供部屋３Ｄ、子供部屋３Ｅおよび主寝室３Ｆが形成されている。また、非居室として、一階に便所４Ａが、二階に便所４Ｂ、洗面所４Ｃ、浴室４Ｄおよび物入４Ｅが形成されている。そして住宅２の全ての居室３の内部戸を、住宅２内から当該居室３への侵入者の侵入を防止する機能を備えた内部戸１１とした。さらに、この内部戸１１が取り付けられた内壁の当該内部戸１１近傍部分を、住宅２内から当該居室３への侵入者の侵入を防止する機能を備えた内壁４１とした。【選択図】      図１
2005179900.tif 000002
【特許請求の範囲】
【請求項１】
全ての居室に、当該居室以外から当該居室への侵入者の侵入を防止する機能を備えたことを特徴とする住宅。
【請求項２】
全ての居室の内部戸に、当該居室以外から当該居室への侵入者の侵入を防止する機能を備えたことを特徴とする住宅。
【請求項３】
全ての居室の内部戸と、この内部戸が取り付けられた内壁の当該内部戸近傍部分とに、当該居室以外から当該居室への侵入者の侵入を防止する機能を備えたことを特徴とする住宅。
【発明の詳細な説明】
【技術分野】
【０００１】
本発明は、内部に侵入した侵入者から居住者の身を守るための住宅に関する。
【背景技術】
【０００２】
従来、強盗等の侵入者が住宅内に侵入した際、居住者が緊急避難するための避難ボックスを住宅の居室内に設置する技術が開示されている（例えば、特許文献１参照。）。図４は、特許文献１に記載の緊急避難用机を示す斜視図である。緊急避難用机１０１は、主に天板１０２、箱体１０３、パッキング１０４および引き出し兼用開口蓋１０５から構成されている。天板１０２は、通常時に机として使用するためのものであり、箱体１０３に脱着自在に取り付けられている。箱体１０３は、耐衝撃性壁面１０３ａ，１０３ｂ，１０３ｃ，１０３ｄ，１０３ｅから構成されており、開口面１０３ｆを有している。パッキング１０４は、開口面１０３ｆの縁に沿って周設されている。引き出し兼用開口蓋１０５は、箱体１０３に摺動可能に取り付けられている。
【０００３】
緊急避難する際には、住民は緊急避難用机１０１の設置場所まで移動し、開口面１０３ｆから箱体１０３内にかがんで入る。そして引き出し兼用開口蓋１０５を箱体１０３から引き出し、回転させることによって開口面１０３ｆを閉じる。この際、引き出し兼用開口蓋１０５とパッキング１０４とは密閉ロックされる。箱体１０３および引き出し兼用開口蓋１０５は十分な強度を有しており、中に避難した居住者を侵入者から守ることができるようになっている。
【特許文献１】特開平７−２５０７１３号公報（段落００２１〜００３９、図１）
【発明の開示】
【発明が解決しようとする課題】
【０００４】
しかしながら、特許文献１に記載の緊急避難用机１０１は、以下に示す問題を有している。
（１）  緊急避難用机１０１は、一人用のサイズであるため、居住者が複数いる場合には、その数だけ設置する必要がある。また、侵入者がいる場所や居住者がいる場所によっては、緊急避難用机１０１に避難できなかったり、誰がどの緊急避難用机１０１に避難するか、混乱してしまったりすることがある。また、来客等が避難することを想定したものではない。
（２）  緊急避難用机１０１を設置するためのスペースが必要である。
（３）  緊急避難用机１０１が設置されていない居室等、緊急避難用机１０１から離れた場所にいるときに侵入者が侵入してきた場合には、緊急避難用机１０１が設置されている場所まで移動する必要があり、危険である。
【０００５】
本発明は、前記した問題を解決すべく創案されたものであり、スペースを別途設ける必要がなく、内部に侵入した侵入者から居住者の身を守ることができる住宅を提供することを課題とする。
【課題を解決するための手段】
【０００６】
前記課題を解決するため、本発明の請求項１に記載の住宅は、全ての居室に、当該居室以外から当該居室への侵入者の侵入を防止する機能を備える構成とした。
【０００７】
本発明において「居室」とは、起居する部屋のことであり、例えば、住宅における食堂（台所兼用でも可）、居間、寝室、書斎、子供部屋等がこれにあたる。本発明における「居室」に該当しない室としては、物置、物入等の収納専用の室や、浴室、便所、独立して設けられた台所等が挙げられる。
【０００８】
また、「当該居室以外」とは、住宅内の、当該居室を除く部分のことであり、例えば廊下等のことである。
【０００９】
かかる構成により、住宅内に侵入者が侵入した場合において、居住者は、いずれかの居室に避難することが可能である。また、就寝中であっても、侵入者がその居室に侵入することを防ぐことができるので、就寝中の居住者の身を守ることができる。また、居住者の人数に関係なく利用可能である。また、居室そのものが緊急避難に利用可能であるため、住宅内に別途スペースをとる必要がない。
【００１０】
また、請求項２に記載の住宅は、全ての居室の内部戸に、当該居室以外から当該居室への侵入者の侵入を防止する機能を備える構成とした。
【００１１】
本発明における「内部戸」とは、居室と当該居室以外とを出入り可能とするために、住宅内壁の開口部に設けられる戸のことであり、内壁の開口部に取り付けられる建具枠と、建具枠に開閉可能に取り付けられる建具本体と、からなる。そして内部戸は、玄関、窓等、住宅の外壁に設けられる外部建具とは区別されるものである。
【００１２】
本発明における、内部戸に備えられる当該居室以外から当該居室への侵入者の侵入を防止する機能としては、例えば以下に示すものが挙げられる。
（１）  居室側から施錠・開錠可能な内締まり錠を有している。
（２）  前記（１）の内締まり錠のロック機構が、上下左右の四方向に突出する複数のデッドロック（カンヌキ）からなる。
（３）  内部戸の建具本体が金属製である。あるいは所定の強度を有する部材によって補強されている。ここでいう「所定の強度」とは、侵入者による破壊行為に対抗しうる強度である。かかる部材としては、鋼板、構造用合板、ＯＳＢ（Oriented Strand Board）、樹脂系板（アクリル板、ポリカーボネイト板等）、ＡＬＣ（Autoclaved Lightweight Concrete、軽量気泡コンクリートともいう）板等が好適である。
（４）  ドアスコープを有しており、居室側から内部戸の向こう側（例えば廊下側）を視認可能である。
【００１３】
全ての居室の内部戸に前記した機能を備えることで、玄関等の外部建具から侵入者が侵入した場合であっても、居住者は未侵入の居室に避難することができる。また、就寝時等には、予め施錠しておくことで、身の安全を確保することができる。
【００１４】
また、請求項３に記載の住宅は、全ての居室の内部戸と、この内部戸が取り付けられた内壁の当該内部戸近傍部分とに、当該居室以外から当該居室への侵入者の侵入を防止する機能を備える構成とした。
【００１５】
本発明における、内部戸近傍部分に備えられる当該居室以外から当該居室への侵入者の侵入を防止する機能としては、例えば以下に示すものが挙げられる。
（１）  内壁が「所定の強度を有する部材」によって補強されている。かかる補強は、内部戸の設置状態によって位置を適宜決めることができる。例えば、内部戸の左右および上方を補強する構成であってもよいし、左右の少なくとも一方を補強する構成であってもよい。所定の強度を有する部材は、内部戸の補強に用いられものと同様であり、鋼板、構造用合板、ＯＳＢ、樹脂系板（アクリル板、ポリカーボネイト板等）、ＡＬＣ板等が好適である。
【００１６】
また、近傍部分としては、例えば内部戸から５０〜１００ｃｍまでとすることができる。また、居室の内壁のうち、廊下、ホールに面する部分の全てを補強する構成であってもよい。
【００１７】
このように内部戸に加えて、内壁の内部戸近傍部分が補強されているので、内部戸を破ることができなかった侵入者が、内部戸周囲の内壁を破って居室内に侵入することを防ぐことができる。
【発明の効果】
【００１８】
本発明によれば、内部に侵入した侵入者から居住者の身を守ることができる住宅を提供することができる。
【発明を実施するための最良の形態】
【００１９】
以下、本発明の実施形態について、適宜図面を参照しながら説明する。同様の部分には同一符号を付し、重複する説明を省略する。
【００２０】
（住宅）
図１は、本発明の実施形態に係る住宅の例を示す間取り図であり、（ａ）は一階の間取り図、（ｂ）は二階の間取り図である。住宅１は、ツーバイフォー工法（枠組壁工法ともいう）で建てられた二階建ての戸建住宅である。居室３として、一階に食堂兼台所３Ａ、洋室３Ｂおよび居間３Ｃが、二階に子供部屋３Ｄ、子供部屋３Ｅおよび主寝室３Ｆが形成されている。洋室３Ｂおよび主寝室３Ｆは、それぞれクロゼットを有している。また、非居室として、一階に便所４Ａが、二階に便所４Ｂ、洗面所４Ｃ、浴室４Ｄおよび物入４Ｅが形成されている。
【００２１】
そして、住宅１は、全ての居室３（３Ａ〜３Ｆ）に、住宅２内から当該居室３への侵入者の侵入を防止する機能を備えている。
【００２２】
さらに詳しくは、住宅１の全ての居室３の内部戸と、この内部戸が取り付けられた内壁の当該内部戸近傍部分に、住宅１内から当該居室３への侵入者の侵入を防止する機能を備えている。つまり、全ての居室３の内部戸を、内部戸１１とした。さらに、内部戸１１が取り付けられた内壁の当該内部戸１１近傍部分を、内壁４１（図中ハッチング部分）とした。
【００２３】
前記したように、住宅１は、全ての居室３（３Ａ〜３Ｆ）に備えられた内部戸１１および内壁４１から構成されている。以下、居間３Ｃに備えられた内部戸１１および内壁４１を例にとって説明する。図２は、図１の内部戸および内壁の例を示す概略図であり、居室側から見た図である。図３は、図２の内壁を説明するための図であり、（ａ）は内壁内部を示す図、（ｂ）は図２のＡ矢視断面図である。
【００２４】
（内部戸）
まず、内部戸１１について、図２を参照しながら説明する。内部戸１１は、居室３（図１参照）に出入り可能に設けられる戸であり、建具枠２１および建具本体３１から構成されている。
【００２５】
建具枠２１は、内壁４１の開口部Ｌ（図３（ａ）参照）に取り付けられている金属製の矩形枠であり、水平な上枠部２２、下枠部２３と、垂直な側枠部２４，２５からなる。
【００２６】
上枠部２２は、デッドボルト３６Ａが挿入される穴２２ａを有している。
【００２７】
下枠部２３は、デッドボルト３６Ｂが挿入される穴２３ａを有している。
【００２８】
側枠部２４は、デッドボルト３６Ｃ，３６Ｄ，３６Ｅ，３６Ｆが挿入される穴２４ａを有している。また、ラッチボルト３４が挿入される穴２４ｂを有している。
【００２９】
側枠部２５には、建具本体３１が蝶番３８によって回動可能に取り付けられている。また側枠部２５は、デッドボルト３６Ｇが挿入される穴２５ａを有している。
【００３０】
かかる建具枠２１の内壁への取り付けは、公知の技術を利用することができる。
【００３１】
建具本体３１は金属製の内開き戸であり、蝶番３８によって、建具枠２１の側枠部２５に内開き可能に取り付けられている。建具本体３１は、本体部３２、ハンドル３３、ラッチボルト３４、サムターン３５、デッドボルト３６Ａ，３６Ｂ，３６Ｃ，３６Ｄ，３６Ｅ，３６Ｆ，３６Ｇおよびドアスコープ３７を有している。
【００３２】
本体部３２は、金属製であり、ハンドル３３、ラッチボルト３４、サムターン３５、デッドボルト３６Ａ〜３６Ｇおよびドアスコープ３７が取り付けられている。
【００３３】
ハンドル３３は、居室３内、廊下５側から操作可能であり、ラッチボルト３４を動かしたり、本体部３２を回動させたりするための部材である。
【００３４】
ラッチボルト３４は、ハンドル３３の操作によって動く空締まり錠である。側枠部２４の穴２４ｂに進入・後退する。
【００３５】
サムターン３５は、本体部３２の居室３側に取り付けられており、デッドボルト３６Ａ〜３６Ｇを操作することによって施錠・開錠可能な構成となっている。
【００３６】
デッドボルト３６Ａ〜３６Ｇは、サムターン３５の操作によって動く本締まり錠である。デッドボルト３６Ａは、上枠部２２の穴２２ａに進入・後退する。デッドボルト３６Ｂは、下枠部２３の穴２３ａに進入・後退する。デッドボルト３６Ｃ，３６Ｄ，３６Ｅ，３６Ｆは、側枠部２４の穴２４ａに進入・後退する。デッドボルト３６Ｇは、側枠部２５の穴２５ａ内に進入・後退する。
【００３７】
ドアスコープ３７は、本体部３２の所定高さに設けられている。居室３内の居住者は、このドアスコープ３７を覗き込むことで、内部戸１１の向こう側（廊下５側）を見ることができる。
【００３８】
居住者は、居室３内から内部戸１１を施錠・開錠することができる。その際、サムターン３５の回動操作によって、デッドボルト３６Ａ〜３６Ｇを一度に作動させることができるので、施錠・開錠操作が容易である。また、デッドボルト３６Ａ〜３６Ｇが上下左右の四方向に突出するので、施錠が強固であり、侵入者に破られにくい。さらに、進入者が破壊しようとすることが多い、側枠部２４側のデッドボルトを四本（３６Ｃ〜３６Ｆ）としたので、侵入者に破られにくい。本体部３２や建具枠２１も金属製としたので、侵入者の破壊行為に対する耐性を有している。
【００３９】
また、居住者が開錠する際、ドアスコープ３７を覗くことで、居室３外（廊下５）の様子を確認してから開錠することができる。
【００４０】
（内壁）
続いて、内壁４１について、図３（ａ）を参照しながら説明する。内壁４１は、上枠４２、下枠４３、縦枠４４Ａ，４４Ｂ，４４Ｃ，４４Ｄ、まぐさ４５、まぐさ受け４６Ａ，４６Ｂ、面材４７Ａ，４７Ｂからなる。上枠４２、下枠４３、縦枠４４Ａ，４４Ｄは、矩形に組まれており、その中に縦枠４４Ｂ，４４Ｃが所定間隔で鉛直に組まれている。まぐさ受け４６Ａは、縦枠４４Ｂの縦枠４４Ｃ側に沿って組まれている。まぐさ受け４６Ｂは、縦枠４４Ｃの縦枠４４Ｂ側に沿って組まれている。まぐさ４５は、まぐさ受け４６Ａ，４６Ｂに支えられている。そして、まぐさ４５、まぐさ受け４６Ａ，４６Ｂおよび下枠４３に囲まれた、開口部Ｌが形成されている。この開口部Ｌに、内部戸１１が取り付けられる。そして、開口部Ｌの周囲が鋼板５１Ａ，５１Ｂ，５１Ｃによって補強されている。
【００４１】
鋼板５１Ａは、開口部Ｌの図３（ａ）中左側を補強するための部材であり、上枠４２、下枠４３、縦枠４４Ａ，４４Ｂに囲まれた部分を塞ぐように形成され、面材４７Ａに接するように取り付けられている。
【００４２】
鋼板５１Ｂは、開口部Ｌの図３（ａ）中右側を補強するための部材であり、上枠４２、下枠４３、縦枠４４Ｃ，４４Ｄに囲まれた部分を塞ぐように形成され、面材４７Ａに接するように取り付けられている。
【００４３】
鋼板５１Ｃは、開口部Ｌの上側を補強するための部材であり、上枠４２、まぐさ４５、縦枠４４Ｂ，４４Ｃに囲まれた部分を塞ぐように形成され、面材４７Ａに接するように取り付けられている。
【００４４】
面材４７Ａは、内壁４１の廊下５側表面となる部材である。また面材４７Ｂは、内壁４１の居室３側表面となる部材である。
【００４５】
各鋼板の取り付け状態について、鋼板５１Ａを例にとり、図３（ｂ）を参照しながら説明する。鋼板５１Ａは、断面コ字状であり、その上側がスクリューボルトＰによって上枠４２に、その下側がスクリューボルトＰによって下枠４３に、それぞれ取り付けられている。このようにして鋼板５１Ａ，５１Ｂ，５１Ｃを取り付けた後、面材４７Ａ，４７Ｂを枠組に取り付けることによって内壁４１が得られる。
【００４６】
内部戸１１を破るのが困難である場合、侵入者は、内部戸１１の周囲の内壁を破って居室３への侵入を試みる。しかし、内部戸１１の周囲の内壁を、内壁４１としたので、侵入者の侵入を防ぐことができる。
【００４７】
かかる住宅１における、居住者が身を守る方法について、いくつかの場合に分けて説明する。
【００４８】
（１）  侵入者が玄関から侵入した場合
まず、侵入者が玄関の玄関ドアＤ１から住宅１内に侵入した場合、居住者は、既にいる居室３または今いる場所から近い居室３に避難し、施錠することで身を守ることができる。そして、携帯電話や居室３に設置されている固定電話等を利用して外部に救助を求めることができる。
【００４９】
（２）  侵入者が居室の外部建具から侵入した場合
また、侵入者が居室３の外部建具（窓等）から住宅１内に侵入した場合には、それ以外の居室３に避難可能である。例えば、食堂兼台所３Ａの勝手口ドアＤ２から侵入した場合には、洋室３Ｂ、居間３Ｃ、子供部屋３Ｄ，３Ｅ、主寝室３Ｆのうち、いずれかに避難し、施錠することで身を守ることができる。
【００５０】
（３）  通常から施錠する場合
居住者が居室３を使用する際、施錠を行う。そして、他の居住者や来客が当該居室３に入りたい時には、内部戸１１をノックする。すると居室３内の居住者は、ドアスコープを覗き込み、内部戸１１の向こう側を確認する。ノックしたのが侵入者ではないことを確認して開錠し、入室後施錠する。
【００５１】
（４）  就寝の場合
就寝の際に、各居住者は、住宅１の外部建具（玄関ドアＤ１、勝手口Ｄ２等）に加え、各々の居室３の内部戸１１を施錠して就寝する。このようにすることで、子供部屋３Ｄ，３Ｅ、主寝室３Ｆ等が避難室の役目を果たす。
【００５２】
かかる住宅１は、玄関ドアＤ１等外部建具からの侵入を警備会社等に通知するホームセキュリティシステムを備えていることが望ましい。ホームセキュリティシステムによる通知から、警備員等が住宅に到着するまでには通常数十分を要する。しかし、最近の侵入者は、警備員等が到着するまでに盗みを働いたり、居住者に危害を加えたりするようになっている。住宅１にホームセキュリティシステムを備えることで、警備員等が到着するまでの間、居住者は居室３に避難することで侵入者から身を守ることが可能となる。
【００５３】
本発明は、前記した実施形態に限定されるものではなく、本発明の要旨を逸脱しない範囲で適宜設計変更可能である。在来軸組工法の戸建住宅に設置することもできる。住宅の居室のレイアウトも図示したものに限定されない。また戸建住宅だけでなく、集合住宅にも適用可能である。
【００５４】
かかる住宅１は、新築によるものであってもよいし、また既存の住宅に内部戸１１や内壁４１を設置することで住宅１とすることもできる。また、内壁４１ではなく通常の内壁を備え、内部戸１１だけを設置した構成であってもよい。また、内部戸１１が取り付けられた内壁のうち、いくつかを内壁４１とする構成であってもよい。
【００５５】
また、内部戸１１の建具本体３１が金属製である構成としたが、これに限定されない。建具本体３１は、侵入者の破壊行為に対抗しうるだけの強度を有していればよく、鋼板、構造用合板、ＯＳＢ、樹脂系板（アクリル板、ポリカーボネイト板等）、ＡＬＣ板等によって補強されている構成であってもよい。
【００５６】
また、内壁４１は鋼板５１Ａ，５１Ｂ，５１Ｃを備える構成としたが、これに限定されない。内壁４１は、侵入者の破壊行為に対抗しうるだけの強度を有していればよく、構造用合板、ＯＳＢ、樹脂系板（アクリル板、ポリカーボネイト板等）、ＡＬＣ板等によって補強されている構成であってもよい。また、補強部位も適宜設計変更可能であり、居室の内壁のうち、廊下５、ホール等に面する部分全てを補強する構成であってもよい。
【００５７】
前記した実施形態では、全ての居室３の内部戸１１は、廊下５に面している構成としたが、本発明はこれに限定されず、居室同士を結ぶ内部戸を有する構成であってもよい。この場合には、両方の居室にとっての内締まり錠を、それぞれ有する内部戸とすることが望ましい。
【００５８】
また、侵入者の侵入を防止する機能を、就寝に用いられる居室（寝室のことを指す。前記した子供部屋３Ｄ，３Ｅ、主寝室３Ｆ等がこれに該当する。）の全てに備え、就寝に用いられない居室には備えない構成であってもよい。このようにすることで、就寝時の居住者の安全を確保することができる。
【００５９】
また、内部戸１１の施錠・開錠は、サムターン３５によるものだけに限定されず、公知の鍵錠によるものであってもよい。内部戸の形状も前記したものに限定されず、外開き戸、自在戸等であってもよい。また、金属製の片引き戸等に、内締まり錠を備えた構成であってもよい。
【００６０】
また、内壁４１も図示したものに限定されない。例えば、鋼板５１Ａ，５１Ｂ，５１Ｃを有さず、廊下５側の面材４７Ａを、鋼板からなる面材とする構成であってもよい。
【図面の簡単な説明】
【００６１】
【図１】本発明の実施形態に係る住宅の例を示す間取り図であり、（ａ）は一階の間取り図、（ｂ）は二階の間取り図である。
【図２】図１の内部戸および内壁の例を示す概略図であり、居室側から見た図である。
【図３】図２の内壁を説明する図であり、（ａ）は内壁内部を示す図、（ｂ）は図２のＡ矢視断面図である。
【図４】特許文献１に記載の緊急避難用机を示す斜視図である。
【符号の説明】
【００６２】
１      住宅
３（３Ａ，３Ｂ，３Ｃ，３Ｄ，３Ｅ，３Ｆ）  居室
５      廊下
１１    内部戸
２１    建具枠
３１    建具本体
３２    本体部
３３    ハンドル
３４    ラッチボルト
３５    サムターン
３６Ａ，３６Ｂ，３６Ｃ，３６Ｄ，３６Ｅ，３６Ｆ，３６Ｇ  デッドボルト
３７    ドアスコープ
３８    蝶番
４１    内壁
５１Ａ，５１Ｂ，５１Ｃ  鋼板
【図１】
2005179900.tif 000003
【図２】
2005179900.tif 000004
【図３】
2005179900.tif 000005
【図４】
2005179900.tif 000006